(57)【要約】【課題】【解決手段】両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、前記レバーには前記軸の反対側に位置するようにカウンターウエイトが設けられ、このカウンターウエイトの重量に対して前記レバーの負荷をコントロールするための調整部が設けられてなる。【選択図】  図１
2004201943.tif 000002
【特許請求の範囲】
【請求項１】
両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、
前記レバーには前記軸の反対側に位置するようにカウンターウエイトが設けられ、このカウンターウエイトの重量に対して前記レバーの負荷をコントロールするための調整部が設けられてなることを特徴とする身体訓練装置。
【請求項２】
前記調整部には、所定の重量とされる調整重りがカウンターウエイトに対して着脱可能に備えられることを特徴とする請求項１記載の身体訓練装置。
【請求項３】
前記調整部には、所定の重量とされる調整重りが前記回転軸に対する取付距離を調整することで前記レバーへの負荷が調節可能としてカウンターウエイトに対して設けられることを特徴とする請求項１記載の身体訓練装置。
【請求項４】
前記調整重りが前記カウンターウエイトに螺合されることを特徴とする請求項２または３記載の身体訓練装置。
【発明の詳細な説明】
【０００１】
【発明の属する技術分野】
本発明は、この発明は身体訓練装置、特にチェストプレストレーニングマシンとして知られる筋肉訓練装置の改良に係り、医療用またはリハビリテーション等の訓練に用いて好適な技術に関する。
【０００２】
【従来の技術】
チェストプレストレーニングマシンは大胸筋、三角筋（前側）及び上腕三頭筋の身体訓練装置である。
従来のチェストプレストレーニングマシンは、床面等に載置するフレームの一端部にウエイト吊支持用枠体を垂設し、この枠体の下部から前方側に傾斜して基台を配設し、この基台にシートを配設し、フレームの他端部にステップを所定の高さで配設し、シートの後方下部付近のフレームに適宜の軸受で支持されるシャフトを設け、このシャフトの両端部にレバーを立設して略Ｕ字形にして前後方向へ回動可能にしたものであった。レバーの上端部にはグリップがほぼ直交して突設されている。
【０００３】
【特許文献１】
特開平０９−２９４８２３号公報
【０００４】
【発明が解決しようとする課題】
しかし、上記のチェストプレストレーニングマシンは、主に、健常者が筋力鍛錬等の身体訓練をするために構成されており、老人、非健常者等への筋力トレーニング、あるいは、疾病後や障害者へのリハビリテーション等に使用することを考慮した構成にはなっていない。このため現状の装置を使用して非健常者がトレーニングをおこなった場合には、非健常者等である訓練者に対する負荷の制御が大まかすぎて、結果的に過負荷状態になったり、負荷が少なすぎて所望の訓練効果を得られなかったりするという問題があった。
また、上肢や身体の他の部位に運動機能障害を有するような訓練者が使用する場合には、訓練者がグリップを把持できるようにしなければならず、しかも、上述した部分の筋肉を訓練可能なように各訓練者の状態に即した位置にグリップをもってくる必要があった。このためグリップ側に保持位置を調節する構成を有することが必要であり、このためトレーニング時の負荷の値が健常者用とは異なってしまい、より精確な負荷のコントロールが必要な非健常者に対して、負荷の正確性が低下するという問題があった。
【０００５】
本発明は、上記の事情に鑑みてなされたもので、以下の目的を達成しようとするものである。
１．訓練者の状態に合わせてより細かい負荷の調節を可能とすること。
２．訓練者の状態に合わせてより細かい訓練内容に対応可能とすること。
３．訓練者に対応した器具位置の調整に対応して負荷微調整を可能とすること。
【０００６】
【課題を解決するための手段】
本発明は、両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、
前記レバーには前記軸の反対側に位置するようにカウンターウエイトが設けられ、このカウンターウエイトの重量に対して前記レバーの負荷をコントロールするための調整部が設けられてなることにより上記課題を解決した。
本発明において、前記調整部には、所定の重量とされる調整重りがカウンターウエイトに対して着脱可能に備えられることが望ましい。
また、本発明において、前記調整部には、所定の重量とされる調整重りが前記回転軸に対する取付距離を調整することで前記レバーへの負荷が調節可能としてカウンターウエイトに対して設けられる手段を採用することもできる。
本発明における前記調整重りが前記カウンターウエイトに螺合されることがある。
【０００７】
本発明の身体訓練装置のレバーには、このレバーと一体に回動可能とされかつ前記軸の反対側に位置するようにカウンターウエイトが設けられ、このカウンターウエイトの重量に対して前記レバーの負荷をコントロールするための調整部が設けられてなることにより、非健常者訓練時に、この訓練者の状態に合わせてレバー先端付近に非健常者訓練用の位置調整部等を設置し、この位置調整部等の重量によってウエイトにより設定されるレバーの訓練用負荷が変化してしまった場合でも、調整部によってレバーにかかる位置調整部等の重量をキャンセルして、ウェイトによって設定される訓練用負荷をレバーにかけることができるので、訓練状態を精確に設定して、より細かな設定が必要である非健常者の訓練に使用することが可能となる。
なお、調整部によってキャンセルするべきレバー先端部付近の重量としては、上肢の運動に障害がある場合などに座った位置に対してレバーの把持位置を非健常者の運動能力に合わせて健常者の使用状態とは変化させるための位置調整部以外に、非健常者が手の運動機能に障害がある場合にレバーの把持を補助するための補助手段としてのベルト等がある。
【０００８】
本発明において、前記調整部に所定の重量とされる調整重りがカウンターウエイトに対して着脱可能に備えられることにより、この調整重りを着脱することにより、非健常者訓練時に位置調整部等がレバー先端付近に設けられた場合であっても、負荷としての位置調整部等の重量をキャンセルして、レバーの訓練用負荷を調整することが可能となる。
【０００９】
具体的には、レバーの回転軸と平行に位置される円柱状のカウンターウエイトに対して、この円柱と略同径のでカウンターウエイトと同材料からなる調整重りを着脱して、見かけ上カウンターウエイトの円柱高さを伸縮することで、レバーの訓練用負荷を調整することが可能となる。なお、この調整重りの重量は訓練用負荷を設定するためのウエイトに比べて重量が小さいのみならず、レバーの回転モーメントに対しても、レバー先端付近の位置調整部等の重龍をキャンセルする程度の重さに設定される。
【００１０】
また、本発明において、前記調整部には、所定の重量とされる調整重りが前記回転軸に対する取付距離を調整することで前記レバーへの負荷が調節可能としてカウンターウエイトに対して設けられることにより、この調整重りの取付距離を調整することにより、非健常者訓練時に位置調整部等がレバー先端付近に設けられた場合であっても、負荷としての位置調整部等の重量をキャンセルして、レバーの訓練用負荷を調整するとともに、非健常者の状態に対応して位置調整部等のレバーに対する取付位置が異なった場合でも、これらの違いに対応してレバーの訓練用負荷を調整することが可能となる。
【００１１】
具体的には、レバーの回転軸に対してレバーと反対側に突出した取付軸をカウンタウエイトに設け、この取付軸に調整重りを螺着することができる。これによって、この調整重りを取付軸に対して回転することで回転軸に対する距離（取付位置）を調整して、レバーにかかる訓練負荷を調整することが可能となる。
【００１２】
【発明の実施の形態】
以下、本発明に係る身体訓練装置の第１実施形態を、図面に基づいて説明する。
【００１３】
図１は本実施形態の身体訓練装置を示す側面図、図２は同平面図、図３は同正面図であり、図において、符号１は身体訓練装置である。
【００１４】
本実施形態の身体訓練装置１は、図１〜図３に示すように、床面等に斜めに立設された前フレーム２０ｂと、この前フレーム２０ｂの上下端に接続された略Ｌ字状のＬフレーム２０とを有する。このＬフレーム２０は、前後方向に延在するように床面に載置する所定長さのアンダーバー２０ｃとこのアンダーバー２０ｃから立設されるポール２０ａとを有し、これらアンダーバー２０ｃの先端とポール２０ａ上端とが前フレーム２０ｂに接続されている。
【００１５】
前フレーム２０ｂにはシートパッド３４が設けられ、このシートパッド３４の下側にはフレーム２０ｂから前方に突出するようにシート固定部３０が設けられる。シート固定部３０は、前フレーム２０ｂから前方に突出するパイプ３１と、このパイプ３１先端にフレーム２０ｂと平行状態として設けられた固定パイプ３１ａと、固定パイプ３１ａの上側に軸方向で嵌合する嵌合パイプ３１ｂとを有し、この嵌合パイプ３１ｂの上端にはシートパッド３２が固定され、シートパッド３４，３２によってシート３３が構成される。また、シート固定部３０には互いに嵌合したパイプ３５ａ，３５ｂが設けられ、図示しない外側パイプ３５ａを貫通する位置設定ピンを、内側パイプ３５ｂに設けられた固定穴または凹部に嵌めることにより、シート３３の高さを調節するロック機構となっている。
【００１６】
シート固定部３０の近傍には、シートパッド３２より下側かつ前方位置に訓練中足を乗せるステップバー３７が左右方向に延在するように設けられ、このステップバー３７も、嵌合したパイプ３７ａ，３７ｂのうち外側のパイプ３７ａに設けられた固定ねじ３７ｃによって前後方向に固定位置設定可能に設けられる。
【００１７】
前フレーム２０ｂの上端近傍には軸受け２２を介してシャフト（回転軸）２３が回転可能に軸支されるとともに、このシャフト２３を回転軸とするように、シャフト２３にレバー２６，２６が斜め前方下側に固定される。レバー２６，２６およびシャフト２３は合わせてＵ字状、またはＶ字状となるように一体に設けられる。
【００１８】
レバー２６の両端部にはグリップ２７，２７が突設されている。このグリップ２７は、パイプ状のレバー２６に対して同軸に嵌合されたレバーパイプ２６ａ先端に設けられ、レバー２６およびレバーパイプ２６ａに設けられた固定穴２６ｂ、２６ｂに固定ピン２６ｃを貫通することでその位置を調整可能とされている。これらレバーパイプ２６ａ、固定穴２６ｂ、固定ピン２６ｃ等は訓練者の状態に対応してグリップ２７の把持位置を調節するための位置調整部を構成している。
【００１９】
シャフト２３には、レバー２６と反対側（後方側）にカウンターアーム２４を介して、カウンターウエイト２５が設けられるとともに、シャフト２３のレバー２６，２６の間にアーム４１が垂設され、これらシャフト２３、カウンターアーム２４、アーム４１、カウンターウエイト２５は、レバー２６，２６と一体に前後方向へ揺動可能とされている。シャフト４１の後方位置にはＬフレーム２０にストッパ２９が設けられ、アーム４１がこのストッパ２９に当接することでレバー２６の後方回動位置を規制している。
【００２０】
カウンターウエイト２５は円柱状の金属製とされその軸線がシャフト２３と平行になるように設けられるとともに、このカウンターウエイト２５にはカウンターウエイト２５の重量に対してレバー２６の負荷をコントロールするための調整部６０が設けられいる。
【００２１】
調整部６０は、カウンターウエイト２５の一端中央にシャフト２３と平行に突出した固定軸６１と、カウンターウエイト２５円柱と略同径でカウンターウエイト２５と同材料からなる円盤状の調整重り６２と、固定軸６１端部に螺合可能な固定ねじ６３とからなる。この調整重り６２は、固定軸６１に着脱可能なように中央部に着脱穴６２ａが設けられており、固定軸６１に所定の枚数の調整重り６２の着脱穴６２ａを通して固定ねじ６３を固定することで、訓練中に調整重り６２が離脱しないようにすることができる。
【００２２】
シャフト２３にはレバー２６に対する訓練時負荷を設定するための負荷設定手段が接続されている。
負荷設定手段としては、シャフト２３のレバー２６，２６の間にアーム４１が垂設され、このアーム４１先端にベルト４２の一端が接続されている。ベルト４２の他端は、フレーム２０の下部に設けられシャフト２３と平行に回動可能なシャフト４３に取り付けられたローラ４４周囲に巻回されるとともにこのローラ４４の周囲に固定されている。ベルト４２は、アーム４１がシャフト２３を回動中心として前後方向に揺動する際、ローラ４５を介してローラ４４およびシャフト４３を回動させるよう伸縮しないようになっている。
【００２３】
シャフト４３の一端はＬフレーム２０に回転可能に支持されるとともに、シャフト４３の他端は、Ｌフレーム２０と左右方向にずれた平行な位置に設けられるウエイト吊支持用枠体５０に回転可能に支持され、シャフト４３のウエイト吊支持用枠体５０側にはローラ５８が固定されている。
ウエイト吊支持用枠体５０は２本のアンダーバー５１，５１とサイドバー５２によりＬフレーム２０と接続され、その内部に立設されたガイドロッド５３，５３に沿って昇降可能にウエイト連結部５４が設けられ、このウエイト連結部５４には複数のウエイトＷ，Ｗが載置可能とされる。
【００２４】
このウエイト連結部５４にはワイヤ５５の一端が固定接続され、このワイヤ５５は、ローラ５６，５７を介してシャフト４３に固定されたローラ５８に巻回されており、ワイヤ５５の他端はローラ５８に固定されている。
ウエイト連結部５４はウエイトＷの所望枚数を適宜選択してピンで脱着する公知のものである。ウエイトＷはウエイト吊支持用枠体５０内に垂設したガイドロッド５３に沿って昇降できる公知のものである。ウエイトＷは枠体５０をほぼ包囲して設けられた樹脂製のカバーによって遮蔽されている。
【００２５】
このチェストプレストレーニングマシンで筋力トレーニングまたはリハビリテーション訓練をする者は、シート３３に着座し両足をステップバー３７に載せるとともに、パッド３４に背中を押し付け、両手でレバー２６，２６のグリップ２７，２７を握持してレバー２６，２６を前方へ押し倒すように回動すると、レバー２６，２６はシャフト２３を中心として図１に示す仮想線図示のように前方へ回動する。
【００２６】
これにより、シャフト２３とともにアーム４１が回動して、アーム４１先端に固定されたベルト４２が引張されローラ４４が回動する。ローラ４４とともにシャフト４３によって一体とされたローラ５８が回動して、ワイヤ５５が引張される。
このレバー２６，２６に連結されたワイヤ５５がウエイト吊支持用枠体５０に昇降可能に吊支されているウエイト連結部５４を引き上げることにより、設定された重量のウエイトＷの負荷が生じる。そこで、両足をステップバー３７に載置し、設定したウエイトＷの重量でレバー２６，２６が元の位置に戻ろうとする力に抗しながらレバー２６，２６を元の位置に復帰させることにより、前記所定部位の筋肉訓練またはリハビリテーションをおこなうことができる。
【００２７】
ここで、位置調整部としてのレバーパイプ２６ａをレバー２６に対して伸縮することで把持位置調整をおこなった場合には、シャフト（回転軸）２３に対するレバー２６の訓練負荷が変化してしまうが、その際には、調整部６０により、これを調整することになる。
【００２８】
本実施形態の身体訓練装置においては、レバーパイプ２６ａを伸張して固定した場合には、訓練負荷が大きくなりすぎるため、調整重り６２をさらに追加して固定することで、訓練負荷をウエイトＷで設定した所定の大きさにすることができる。
また、レバーパイプ２６ａを短縮して固定した場合には、訓練負荷が小さくなりすぎるため、固定してあった調整重り６２の数を少なくすることで、訓練負荷をウエイトＷで設定した所定の大きさにすることができる。
【００２９】
なお、同一のレバー２６訓練負荷状態の訓練時に、調整部６０の調整重り６２を着脱してレバー２６の訓練負荷そのものを微調整することにより、健常者に比べてより細かな訓練負荷の設定が必要な非健常者の訓練にあっても、より効果的な訓練が可能となる。
【００３０】
また、調整部６０としてカウンターウエイト２５の他端にももう一つ固定軸を設けることも可能であり、この場合より多数の調整重り６２を着脱可能となるため、ウエイトＷとの組み合わせによって、より広範囲な負荷調整をおこなうことが可能となる。
【００３１】
さらに、レバーパイプ２６ａをレバー２６に対して伸縮する構造以外の位置調整部、あるいは、グリップ２７把持に対する機能障害を有する訓練者のためのグリップ２７把持補助具としての他の形態のグリップ、あるいは手を拘束するバンド等、レバー先端側に負荷が変化する重量を有する治具を取り付けた場合にも調整部６０によりレバー２６の訓練負荷調整をおこなうことが可能である。
【００３２】
また、図４は調整部６０の他の例を示す正面図であり、図４に示すように、カウンターウエイト２５には固定軸６１に変えて雌ねじ６５を螺設するとともに、調整重り６２には着脱穴６２ａに変えて一面に雄ねじ６２ｂを他面に雌ねじ６２ｃを螺設し、１つ目の調整重り６２の雄ねじ６２ｂをカウンターウエイト２５の雌ねじ６５に螺合し、２つ目以降の調整重り６２を雌ねじ６２ｃに螺合していくことで、所定数の調整重り６２を着脱可能とすることもできる。
【００３３】
以下、本発明に係る身体訓練装置の第２実施形態を、図面に基づいて説明する。
【００３４】
本実施形態において第１実施形態と異なるのは、調整部６０に変えて調整部７０を有する構造としたことであり、これ以外の略同等の構成には、同一の符号を付してその説明を省略する。
図５は本実施形態における調整部７０を示す側面図である。
【００３５】
本実施形態の調整部７０においては、レバー２６が最下位置にある状態でカウンターウエイト２５から略水平方向に突出し表面に雄ねじの設けられた固定軸７１と、カウンターウエイト２５と同材料の円盤状で、中央に固定軸７１と螺合可能な雌ねじ穴７２ａの設けられた調整重り７２と、固定軸７１螺合可能な固定ねじ７３とからなる。
【００３６】
この調整重り７２は、固定軸７１に螺合した状態で回転することにより、固定軸７１に対する固定位移動可能なようにされ、固定軸７１に所定の枚数の調整重り７２を螺合して、最後に固定ねじ７３を固定軸７１に螺合することで、訓練中に調整重り７２が離脱しないようにするとともに、調整重り７２の固定位置設定可能とされている。
【００３７】
調整重り７２をカウンターウエイト２５から離間する方向に移動することで、調整重り７２は、シャフト（回転軸）２３から離間するので、レバー２６の訓練負荷を大きくすることができ、調整重り７２をカウンターウエイト２５に接近する方向に移動することで、調整重り７２は、シャフト（回転軸）２３に接近するので、レバー２６の訓練負荷を小さくすることができる。
【００３８】
本実施形態においては、レバーパイプ２６ａを伸張して固定した場合には、訓練負荷が大きくなりすぎるため、調整重り７２をカウンターウエイト２５から離間する方向に移動して固定することで、訓練負荷をウエイトＷで設定した所定の大きさにすることができる。
また、レバーパイプ２６ａを短縮して固定した場合には、訓練負荷が小さくなりすぎるため、調整重り７２をカウンターウエイト２５に接近する方向に移動して固定することで、訓練負荷をウエイトＷで設定した所定の大きさにすることができる。
【００３９】
なお、本実施形態においては、上記の実施形態と同様の効果を得ることができるとともに、連続的に訓練負荷を変化することが可能となり、より一層の訓練負荷の調整が可能となる。また、固定軸７１を非訓練時に水平になるように設けることで、調整重り７２の固定位置設定を容易におこなうことができる。
【００４０】
【発明の効果】
本発明の身体訓練装置によれば、両端部にグリップを有してフレームに対して回転軸により回動可能に斜め下向きに支持された略Ｕ字形のレバーを、前記フレーム近傍のウエイト吊支持用枠体内で昇降可能なウエイトの選択した負荷に抗して前後方向へ回動させることにより、所定部位の筋肉訓練を行う身体訓練装置において、前記レバーには前記軸の反対側に位置するようにカウンターウエイトが設けられ、このカウンターウエイトの重量に対して前記レバーの負荷をコントロールするための調整部が設けられてなることにより、非健常者訓練時に、この訓練者の状態に合わせて訓練レバー先端付近に非健常者訓練用の位置調整部等を設置し、この位置調整部等の重量によってウエイトにより設定されるレバーの訓練用負荷が変化してしまった場合でも、調整部によってレバーにかかる位置調整部等の重量をキャンセルして、ウェイトによって設定される訓練用負荷をレバーにかけることができるので、訓練状態を精確に設定して、より細かな設定が必要である非健常者の訓練に使用することが可能となるという効果を奏することができる。
【図面の簡単な説明】
【図１】本発明に係る身体訓練装置の第１実施形態を示す側面図である。
【図２】図１の身体訓練装置を示す平面図である。
【図３】図１の身体訓練装置を示す前面図である。
【図４】図１の調整部６０の他の実施形態を示す正面図である。
【図５】本発明に係る身体訓練装置における調整部７０の第２実施形態を示す側面図である。
【符号の説明】
１     身体訓練装置
２０   Ｌフレーム
２０ａ ポール
２０ｂ 前フレーム
２０ｃ アンダーバー
２２   軸受け
２３   シャフト（回転軸）
２４   カウンターアーム
２５   カウンターウエイト
２６   レバー
２６ａ レバーパイプ
２６ｃ 固定ピン
２６ｂ 固定穴
２７   グリップ
２９   ストッパ
３１   パイプ
３１ａ 固定パイプ
３１ｂ 嵌合パイプ
３３   シート
３４，３２     シートパッド
３７   ステップバー
３７ａ，３７ｂ パイプ
３７ｃ 定ねじ
４１   アーム
４２   ベルト
４３   シャフト
４４   ローラ
４５   ローラ
５０   ウエイト吊支持用枠体
５１   アンダーバー
５２   サイドバー
５３   ガイドロッド
５４   ウエイト連結部
５５   ワイヤ
５６，５７     ローラ
５８   ローラ
６０   調整部
６１   固定軸
６２ａ 着脱穴
６２   調整重り
６２ｂ 雄ねじ
６２ｃ 雌ねじ
６３   定ねじ
６５   雌ねじ
７１   固定軸
７２ａ 雄ねじ穴
７２   調整重り
７３   固定ねじ
Ｗ     ウエイト
【図１】
2004201943.tif 000003
【図２】
2004201943.tif 000004
【図３】
2004201943.tif 000005
【図４】
2004201943.tif 000006
【図５】
2004201943.tif 000007